(57)【要約】【課題】利用者が赤外線送信器を用いて光源の明るさを制御する照明制御システムにおいて、電磁ノイズを少なくするとともに照明器具の制御を確実に行うことのできるシステムを提供する。【解決手段】照明制御システム１００は、所定の情報を含む赤外線信号を送信する赤外線送信器５と、赤外線信号を受信する赤外線受光部３２と、受信された赤外線信号が含む情報に対応する対応情報を含む電波信号を生成し送信するリモコン制御部３１と、赤外線受光部３２とリモコン制御部３１とを収納する筐体３３とを有するリモコン送受信器３と、光源部２１と、光源部２１を収納する筐体２２とを有する照明器具２と、リモコン送受信器３が送信した電波信号を受信する無線受信部４２と、光源部２１と給電線６で接続すると共に受信された電波信号の示す対応情報に基づいて、光源部２１に給電線６を介して電力を供給する電力生成部４１とを有する光源点灯装置４とを備える。【選択図】図１
2014229536.tif 000002
【特許請求の範囲】
【請求項１】
情報が乗せられた赤外線信号を送信する赤外線送信器と、
前記赤外線送信器が送信した前記赤外線信号を受信する赤外線信号受信部と、前記赤外線信号受信部が受信した前記赤外線信号に乗せられた前記情報に対応する対応情報を乗せた電波信号を生成して送信する電波送信部と、前記赤外線信号受信部と前記電波送信部とを収納する筐体とを有する送受信器と、
光源と、前記光源を収納する筐体であって前記送受信器の前記筐体とは別個の筐体とを有する照明器具と、
前記送受信器が送信した前記電波信号を受信する電波受信部と、前記照明器具の前記光源と給電線で接続すると共に、前記電波受信部が受信した前記電波信号の示す前記対応情報に基づいて、前記照明器具の前記光源に前記給電線を介して電力を供給する電力生成部とを有する光源点灯装置と
を備えたことを特徴とする照明制御システム。
【請求項２】
前記照明制御システムは、
複数の前記照明器具と、
複数の前記光源点灯装置と
を備え、
それぞれの前記光源点灯装置の前記電力生成部は、
他の前記光源点灯装置の前記電力生成部と重複することなく複数の前記照明器具のうちのいずれかの前記照明器具の前記光源と前記給電線で接続し、
それぞれの前記光源点灯装置の前記電波受信部は、
前記送受信器の送信する前記電波信号を受信することを特徴とする請求項１記載の照明制御システム。
【請求項３】
前記送受信器の前記筐体は、
複数の前記照明器具のうち、少なくともいずれかの前記照明器具の前記筐体と、対応がわかる程度に近接して配置されたことを特徴とする請求項２記載の照明制御システム。
【請求項４】
前記光源点灯装置は、
前記送受信器の前記筐体及び前記照明器具の前記筐体とは別個の筐体であって、前記電波受信部と、前記電力生成部とを収納する筐体を有することを特徴とする請求項１〜３のいずれかに記載の照明制御システム。
【請求項５】
前記光源点灯装置は、
前記照明器具の前記筐体に収納されることを特徴とする請求項１〜３のいずれかに記載の照明制御システム。
【請求項６】
前記送受信器と前記光源点灯装置とは、
商用交流電源によって供給される電力で動作することを特徴とする請求項１〜５のいずれかに記載の照明制御システム。
【発明の詳細な説明】
【技術分野】
【０００１】
この発明は、利用者が赤外線送信器を用いて光源の明るさを制御する照明制御システムに関する。
【背景技術】
【０００２】
赤外線や電波による通信を利用した照明の制御に関する技術がある（例えば特許文献１、特許文献２）。特許文献１及び文献２は、光源及びこの光源を点灯する装置とリモコン装置とを、同一の筺体に或いは同一の照明器具内に配置している。特許文献１及び文献２は、外部のリモコン送信器によって筺体内のリモコン装置が受信作動し、光源の点灯・消灯などを遠隔制御することができる装置を開示する。しかし、発光ダイオード（以下ＬＥＤと称する）などの固体光源を取り付けた照明器具を天井側に配置し、天井の照明器具内のＬＥＤに給電する直流電流の生成を行う光源点灯装置を照明器具と離れた別の場所に設置する場合に、受信側のリモコン装置の電源を生成する商用交流電源をＬＥＤを配置した照明器具内に引き込み配線すると、商用交流電源側への不要な電磁ノイズが増加してしまう課題があった。
【０００３】
さらに電波通信を利用したリモコン装置での制御は特許文献２に開示されているが、複数の照明器具を確実に判別するためには、特別な手段が必要であるという課題があった。また特許文献１のような赤外線通信を利用したリモコン装置では、照明器具を目視できるだけでなく、光源点灯装置に受信側のリモコン装置を配置する場合は、照明器具に対応する光源点灯装置に対しても赤外線が到達しなければならないという制約が生じてしまう。
【先行技術文献】
【特許文献】
【０００４】
【特許文献１】特許第４８５７５３７公報（図１参照。）
【特許文献２】特開２００５−２８５５９８号（図１参照。）
【発明の概要】
【発明が解決しようとする課題】
【０００５】
従来の装置では不要な電磁ノイズが増加してしまうこと、リモコン装置の通信手段として電波通信を利用すると目的の照明器具の判別に特別な手段を要し、赤外線通信を利用すると照明器具と光源点灯装置の両方に到達させなければならないという課題があった。
【０００６】
本発明は、不要な電磁ノイズを少なくするとともに照明器具の制御を確実に行うことのできるシステムを得ることを目的とする。
【課題を解決するための手段】
【０００７】
この発明の照明制御システムは、
情報が乗せられた赤外線信号を送信する赤外線送信器と、
前記赤外線送信器が送信した前記赤外線信号を受信する赤外線信号受信部と、前記赤外線信号受信部が受信した前記赤外線信号に乗せられた前記情報に対応する対応情報を乗せた電波信号を生成して送信する電波送信部と、前記赤外線信号受信部と前記電波送信部とを収納する筐体とを有する送受信器と、
光源と、前記光源を収納する筐体であって前記送受信器の前記筐体とは別個の筐体とを有する照明器具と、
前記送受信器が送信した前記電波信号を受信する電波受信部と、前記照明器具の前記光源と給電線で接続すると共に、前記電波受信部が受信した前記電波信号の示す前記対応情報に基づいて、前記照明器具の前記光源に前記給電線を介して電力を供給する電力生成部とを有する光源点灯装置と
を備えたことを特徴とする。
【発明の効果】
【０００８】
本発明によれば、不要な電磁ノイズを少なくするとともに、簡易な構成で照明制御を確実に行える照明制御システムを提供できる。
【図面の簡単な説明】
【０００９】
【図１】実施の形態１の照明制御システム１００の構成図。
【図２】実施の形態１の照明制御システム１００の構成図。
【図３】実施の形態１の照明制御システム１００の構成図。
【図４】実施の形態１の照明器具２の筐体２２への光源点灯装置４の収納を説明する図。
【図５】実施の形態１の光源点灯装置４を回路構成を説明する図。
【発明を実施するための形態】
【００１０】
実施の形態１．
図１〜図５を参照して実施の形態１の照明制御システム１００を説明する。図１は、実施の形態１の照明制御システム１００の構成図である。
【００１１】
照明制御システム１００は、赤外線送信器５、リモコン送受信器３、３Ｎ、光源点灯装置４、４Ｎ、照明器具２、２Ｎを備える。リモコン送受信器３、３Ｎ及び光源点灯装置４、４Ｎは交流電源１から給電される。なお図１ではリモコン送受信器３Ｎ、光源点灯装置４Ｎにおける交流電源１は省略した。
【００１２】
照明器具２は、光源部２１（光源）と、光源部２１を収納する筐体２２とを有する。筐体２２は後述のリモコン送受信器３の筐体３３とは別個の筐体である。光源部２１は、ＬＥＤ等の固体光源である。光源部２１は固体光源の他に、固体光源に給電する給電線６を導入する受電端子やコネクタなどの受電手段や、固体光源の接続状態を検出する固体光源検出手段や、固体光源に対する光出力の制御状態などを外部に表示する表示手段などを備えていてもよい。照明器具２Ｎは照明器具２と同じ構成である。
【００１３】
赤外線送信器５は、情報が乗せられた赤外線信号を送信する。赤外線信号に乗せられる「情報」とは、光源部の点灯を指示する点灯情報、消灯を指示する消灯情報あるいは所定の調光出力を指示する調光情報などである。
【００１４】
リモコン送受信器３は、リモコン制御部３１（電波送信部）、赤外線受光部３２（赤外線信号受信部）、筐体３３を備える。筐体３３はリモコン制御部３１、赤外線受光部３２を収納する。リモコン送受信器３は、動作電力を得るために交流電源１を受電する。赤外線受光部３２は、赤外線送信器５が送信した赤外線信号を受信する。赤外線受光部３２の受信した赤外線信号はリモコン制御部３１に伝達され、リモコン制御部３１は、赤外線受光部３２が受信した赤外線信号に乗せられた情報に対応する対応情報を乗せた電波信号を生成して送信する。赤外線信号に乗せられた情報に対応する「対応情報」とは、赤外線信号に乗せられた情報が上記点灯情報であれば同様の点灯情報であるし、上記消灯情報であれば同様の消灯情報であるし、上記調光情報であればその調光情報と同一の調光率を指示する情報である。リモコン送受信器３Ｎはリモコン送受信器３と同じ構成である。
【００１５】
天井７には、照明器具２と照明器具２に対応するリモコン送受信器３、照明器具２Ｎと照明器具２Ｎに対応するリモコン送受信器３Ｎが配置されている。リモコン送受信器は、制御対象の対応する照明器具の近傍に、対応する照明器具との対応がわかるように配置され、かつ、その筺体は一体化されていないとする。「対応する照明器具との対応がわかるように配置」とは、図１では照明器具２とリモコン送受信器３とが対応し、照明器具２Ｎとリモコン送受信器３Ｎとが対応するが、例えば、照明器具２とリモコン送受信器３との対応が分かる程度に照明器具２とリモコン送受信器３とを近接して配置し、照明器具２Ｎ、リモコン送受信器３Ｎも同様に配置する。また、「筺体が一体化されていない」とは、リモコン送受信器３の筐体３３と、照明器具２の筐体２２とは、別個の独立した筐体であることを意味する。
【００１６】
光源点灯装置４は、電力生成部４１、無線受信部４２（電波受信部）、筐体４３を備える。無線受信部４２は、リモコン送受信器３のリモコン制御部３１が送信した電波信号を受信する。電力生成部４１は照明器具２の光源部２１と給電線６で接続しており、無線受信部４２が受信した電波信号の示す対応情報に基づいて、照明器具２の光源部２１に給電線６を介して電力を供給する。つまり、電力生成部４１は対応情報が点灯情報であれば光源部２１を点灯し、消灯情報であれば光源部２１を消灯し、調光情報であればその調光情報に応じた電力を光源部２１に供給する。
【００１７】
図２は図１の照明制御システム１００を示すが、光源点灯装置４が照明器具２と別置される際の使用者による使用例を示す。図２では、使用者が照明器具の近傍のリモコン送受信器を見て赤外線送信器５を操作するときに、使用者からは別置された光源点灯装置が遮蔽物によって直接見えない（赤外線送信器５からの赤外線信号が直接到達できない）と仮定する。
【００１８】
（１）以上のように構成された照明制御システム１００において、照明器具２が消灯しているとする。
（２）使用者が図２の左側の照明器具２を点灯しようとするときには、赤外線送信器５を照明器具２の近傍のリモコン送受信器３の方向に向けて点灯信号に対応する赤外線出力（赤外線信号）を照射する。
（３）この赤外線出力がリモコン送受信器３の赤外線受光部３２により受光されると、リモコン制御部３１は電波信号を発生する。この電波信号には、赤外線出力に含まれる点灯、消灯の別などの情報と、制御対象となる光源点灯装置４のアドレスが制御情報として含まれている。
（４）光源点灯装置４の無線受信部４２は自己への制御指令であることを識別して、電力生成部４１を動作させる制御信号を電力生成部４１に出力する。電力生成部４１に出力する制御信号は、受信した電波信号の内容（点灯、消灯の別、あるいは調光率）である。電力生成部４１は、無線受信部４２から入力した制御信号に基づいて所定の直流電力を生成し、給電線６を介して照明器具２の光源部２１に送出する。
（５）このようにして赤外線送信器５の操作によって照明器具２の光源部２１を点灯或いは消灯させることができる。
【００１９】
使用者が、別の照明器具、例えば図２の照明器具２Ｎを点灯させる場合には、照明器具２Ｎの近傍のリモコン送受信器３Ｎに向けて赤外線を照射すれば、照明器具２を点灯させるのと同様の動作により、光源点灯装置４Ｎが作動し、所望の照明器具２Ｎを制御できる。この場合、リモコン送受信器３Ｎのリモコン制御部３１が送信する電波信号は光源点灯装置４Ｎのアドレスが含まれるので光源点灯装置４Ｎが作動する。
【００２０】
以上の図１、図２の説明では、照明器具と、対応するリモコン送受信器とが１対１で対応する場合を説明した。つまり照明器具２とリモコン送受信器３とが対応し、照明器具２Ｎとリモコン送受信器３Ｎとが対応する場合を説明した。これに限らず、あるリモコン送受信器３ｋに対して複数の照明器具２ｋを制御することも可能である。
図３は、１台のリモコン送受信器３ｋに対して、３台の照明器具２ｋ−１、２ｋ−２、２ｋ−３を制御する例を示す。この場合は、リモコン送受信器３ｋの比較的近くに、３台のうちの少なくとも１台の照明器具を配置しておく。図３では、照明器具２ｋ−１をリモコン送受信器３ｋの近くに配置した。こうすることで、使用者から見て制御対象の照明器具の少なくとも１台が判別できるようにしておく。図３では照明器具２ｋ−１〜２ｋ−３のうち、使用者は照明器具２ｋ−１を判別できる。
そして制御対象の３台の照明器具２ｋ−１〜２ｋ−３に電力を供給する光源点灯装置４ｋ−１、４ｋ−２、４ｋ−３の３台とも動作させることができるように、リモコン送受信器３ｋの電波信号を構成する。例えば、リモコン送受信器３ｋのリモコン制御部３１が送信する電波信号は、光源点灯装置４ｋ−１〜４ｋ−３のアドレスを含む。これにより、赤外線送信器５を使用して、予め設定した３台の照明器具２ｋ−１、２ｋ−２、２ｋ−３をまとめて制御できる。
【００２１】
図４を参照して前述とは異なる実施例を以下に説明する。図１〜図３の実施例では光源点灯装置４と照明器具２とを別々の場所に設置する例を述べたが、図４に示すように、光源点灯装置４は、照明器具２の筐体２２に収納される構成でも構わない。図４の符号４が付された破線の枠は実際に存在するものではなく、単に、光源点灯装置４に相当する部分を示すものである。図４の場合も図１〜図３の効果を有する。即ち、赤外線送信器５からの赤外線出力を受光したリモコン送受信器３が図４のように電波信号を出力し、その電波信号を受信して、照明器具２の筐体２２に収納された光源点灯装置４が作動する。この場合も、照明器具２とリモコン送受信器３とを別の筺体で分離するので、不要な電磁ノイズを少なくすることができ、さらに照明器具２とリモコン送受信器３との間の信号伝達を無線で行うので設置工事や配置上の制約が少なくなる。
【００２２】
次に図５を参照して光源点灯装置の具体例を示す。図５は照明制御システム１００に使用可能な光源点灯装置の具体例を示す。光源点灯装置４を例に説明する。図５において光源点灯装置４は電力生成部４１、無線受信部４２及び筐体４３を備えている。電力生成部４１は、点灯回路４１０と電源部４２０を備えている。電源部４２０は、交流電源１から直流電圧を生成する。電源部４２０は、全波整流した直流電圧あるいは、それをさらに所定値に昇圧した直流電圧を発生するものなどで構成される。点灯回路４１０は所要の直流電流を発生するコンバータであり、図５ではバックコンバータと称する回路で構成される。点灯回路４１０は、スイッチング素子４１２、ダイオード４１３、出力コンデンサ４１４、制御回路４１５、コイル４１６を備える。制御回路４１５はスイッチング素子４１２をスイッチング制御することにより、光源部２１の定電流制御を実行する。制御回路４１５は、無線受信部４２が受信した無線信号に基づいて出力する制御信号に従って、例えば点灯・消灯（あるいは調光制御）などのスイッチング制御をスイッチング素子４１２に対して行う。光源部２１は光源として複数のＬＥＤ２２を備える。以上のように構成された光源点灯装置４では、無線受信部４２が制御指令を含む電波信号を受信すると電波信号に対応する制御信号を点灯回路４１０に出力し、点灯回路４１０はこの制御信号を入力すると制御信号に従った出力を発生して、照明器具２の光源部２１に出力を供給する。
【００２３】
本実施の形態の照明制御システム１００では、点灯・消灯の他、赤外線送信器５に調光信号を加えても良いことは上記で述べた通りである。対応情報として調光信号が乗せられた電波信号を無線受信部４２が受信すると、点灯回路４１０の制御回路４１５は、無線受信部４２が受信した電波信号に含まれる調光指令値に対応する出力電流を発生するようにスイッチング素子４１２を制御する。その結果、照明器具２の光源部２１を調光して点灯させることができる。
【００２４】
なお、点灯回路４１０は図５に示すバックコンバータに限らず、絶縁トランスを使用したフライバック形コンバータと称されるものを使用してもよい。この場合はコンバータの出力を交流電源１と絶縁することができる。また光源部２１の光源としてＬＥＤを用いる場合は、ＬＥＤは必要な照明出力になるように適宜組み合わせるなどして構成すればよい。
【００２５】
実施の形態１の照明制御システム１００ではリモコン送受信器３は、上記のように使用者が制御したい照明器具２の少なくとも１台が認識できる位置に配置する。ＬＥＤ等の光源を収納する複数の照明器具と、複数の光源点灯装置とが離れた距離にあり、照明器具と、この照明器具の光源を点とする光源点灯装置とが対応しており、かつ、複数台の光源点灯装置がまとめて設置されているような場合には、使用者は操作したい照明器具と光源点灯装置との対応の判断が困難であり、点灯／消灯させたい照明器具（光源）に対応する光源点灯装置に対して確実に点灯・消灯などの制御を行うことは難しかった。実施の形態１の照明制御システム１００によれば、リモコン送受信器３を使用者が制御したい照明器具２の少なくとも１台が認識できる位置に配置するので、照明器具２と光源点灯装置４との対応判断が容易になる。
【００２６】
赤外線送信器５からの赤外線の受光とその信号処理は、周知のリモコン技術を応用できる。リモコン送受信器３は、さらに受光した赤外線信号に対応した信号を電波通信で送出するリモコン制御部を備える。無線受信部４２は光源点灯装置４の内部に組み込むと、光源点灯装置全体が一体化するので設置工事が容易になる。しかしながら、無線受信部４２は電力生成部４１と一体化していなくても、単独に設置できるような外囲器を備え、受信した電波信号を、電力生成部４１に信号ケーブルやコネクタを使用して有線で伝達するようにしても良い。光源点灯装置４が電力生成部４１を収納するために金属製の外囲器である場合などに、このように無線受信部４２を別の外囲器にすると通信状態を向上させることができる。
【００２７】
以上のように照明制御システム１００によれば、照明器具２とリモコン送受信器３とを別々の構造体とすることで交流電源１に生じる不要な電磁ノイズを少なくすることができる。さらに赤外線送信器５は赤外線通信を使用するので、意図した照明器具２を容易に制御できる。また光源点灯装置４にはリモコン送受信器３から無線電波を送出するので、使用者が見えない場所に設置された光源点灯装置４でも確実に作動させることができる。
【符号の説明】
【００２８】
１  交流電源、２  照明器具、３  リモコン送受信器、４  光源点灯装置、５  赤外線送信器、６  給電線、２１  光源部、３１  リモコン制御部、３２  赤外線受光部、４１  電力生成部、４２  無線受信部、４１０  点灯回路、４２０  電源部、１００  照明制御システム。
【図１】
2014229536.tif 000003
【図２】
2014229536.tif 000004
【図３】
2014229536.tif 000005
【図４】
2014229536.tif 000006
【図５】
2014229536.tif 000007